(57)【要約】【課題】基端側への液漏れを効果的に防止し得る画像診断用カテーテルを提供する。【解決手段】画像診断用カテーテル１００は、先端部に検査波送受信部１０１が設けられた駆動シャフト１０２と、駆動シャフトが回転自在に収められたシース１０３と、シースの基端側に設けられる、シースの内部と連通して液体を注入させる注液部１１２と、駆動シャフトの軸方向において、注液部よりも基端側に設けられる液漏れ防止部１１４と、を有する。液漏れ防止部は、駆動シャフトに連動して回転することによって、軸方向先端側への速度成分を有する液体の流れ、および回転中心側から外側へ案内された液体の飛散のうちの少なくとも一方を生じさせる。【選択図】図４
2015066036.tif 000002
【特許請求の範囲】
【請求項１】
先端部に検査波送受信部が設けられた駆動シャフトと、
当該駆動シャフトが回転自在に収められたシースと、
当該シースの基端側に設けられる、前記シースの内部と連通して液体を注入させる注液部と、
前記駆動シャフトの軸方向において、前記注液部よりも基端側に設けられる液漏れ防止部と、を有し、
当該液漏れ防止部は、前記駆動シャフトに連動して回転することによって、軸方向先端側への速度成分を有する前記液体の流れ、および回転中心側から外側へ案内された前記液体の飛散のうちの少なくとも一方を生じさせる、画像診断用カテーテル。
【請求項２】
前記注液部よりも基端側を封止するシール部材を有し、
前記液漏れ防止部は、少なくとも前記シール部材よりも先端側に設けられるとともに、前記駆動シャフトに連動して回転することによって、軸方向先端側への速度成分を有する前記液体の流れを生じさせる、請求項１に記載の画像診断用カテーテル。
【請求項３】
前記液漏れ防止部は、外周に螺旋状の羽根または溝が形成された軸部材と、前記羽根または溝が形成された部分で前記軸部材を回転自在に支持する軸受と、を備える、請求項２に記載の画像診断用カテーテル。
【請求項４】
前記注液部よりも基端側を封止するシール部材を有し、
前記液漏れ防止部は、少なくとも前記シール部材よりも基端側に設けられるとともに、前記駆動シャフトに連動して回転することによって、回転中心側から外側へ案内された前記液体の飛散を生じさせる、請求項１〜請求項３のうちのいずれか１つに記載の画像診断用カテーテル。
【請求項５】
前記液漏れ防止部は、回転中心側から外側へ伸びる羽根または溝が形成されたフランジを備える、請求項４に記載の画像診断用カテーテル。
【請求項６】
前記液漏れ防止部は、軸方向先端側から基端側に向かって拡径するテーパ形状を有するフランジを備える、請求項４または請求項５に記載の画像診断用カテーテル。
【発明の詳細な説明】
【技術分野】
【０００１】
本発明は、画像診断用カテーテルに関する。
【背景技術】
【０００２】
血管等の断層画像を得る画像診断用カテーテルとして、血管内超音波（Ｉｎｔｒａ  Ｖａｓｃｕｌａｒ  Ｕｌｔｒａ  Ｓｏｕｎｄ：ＩＶＵＳ）によって画像を得るカテーテル、または光干渉断層画像技術（Ｏｐｔｉｃａｌ  Ｃｏｈｅｒｅｎｔ  Ｔｏｍｏｇｒａｐｈｙ：ＯＣＴ）によって画像を得るカテーテルがある。
【０００３】
画像診断用カテーテルは、長尺なシースと、シース内に回転自在に収められた駆動シャフトと、駆動シャフトの先端に設けられた検査波送受信部と、を有する（例えば特許文献１参照）。断層画像を得る際、駆動シャフトはシース内で回転しながら基端側へ移動する。このとき、検査波送受信部は、駆動シャフトとともに回転しながら基端側へ移動し、超音波等の検査波を体内に送信する。また、検査波送受信部は、体内から反射してきた検査波を受信する。画像診断用カテーテルの基端に接続したモータ駆動装置（Ｍｏｔｏｒ  Ｄｒｉｖｅ  Ｕｎｉｔ：ＭＤＵ）が、駆動シャフトを回転させるとともに基端側へ移動させる。
【０００４】
検査波を効率良く送受信するため、生理食塩水等のプライミング液がシース内に充填され、シース内の空気が排除される。
【０００５】
プライミング液等の液体が駆動シャフトを伝って基端側へと移動しモータ駆動装置（ＭＤＵ）へ漏出しないように、Ｏリング等のシール部材が、駆動シャフト基端側の軸部材のまわりに設けられる。
【先行技術文献】
【特許文献】
【０００６】
【特許文献１】特開２０１１−７２６８０号公報
【発明の概要】
【発明が解決しようとする課題】
【０００７】
シール部材によって基端側への液漏れは防止される。しかしながら、プライミング液を充填する際に誤って過剰な圧が加えられたり、シール部材が駆動シャフト基端側の軸部材と異常に緩衝してこれらの間に隙間が生じたりすると、液がモータ駆動装置（ＭＤＵ）へと漏出し、その動作に影響を及ぼす虞がある。特に、駆動シャフト基端側の軸部材は高速回転し、シール部材と緩衝し易いため、より一層の液漏れ防止が望まれる。
【０００８】
本発明は、このような事情に鑑みてなされたものであり、基端側への液漏れを効果的に防止し得る画像診断用カテーテルを提供することを目的とする。
【課題を解決するための手段】
【０００９】
上記目的を達成するための本発明の画像診断用カテーテルは、先端部に検査波送受信部が設けられた駆動シャフトと、当該駆動シャフトが回転自在に収められたシースと、当該シースの基端側に設けられる、前記シースの内部と連通して液体を注入させる注液部と、前記駆動シャフトの軸方向において、当該注液部よりも基端側に設けられる液漏れ防止部と、を有する。当該液漏れ防止部は、前記駆動シャフトに連動して回転することによって、軸方向先端側への速度成分を有する前記液体の流れ、および回転中心側から外側へ案内された前記液体の飛散のうちの少なくとも一方を生じさせる。
【発明の効果】
【００１０】
上記のように構成した画像診断用カテーテルによれば、液漏れ防止部が駆動シャフトの回転に連動して動作し、基端側に向かわないように液の移動を強制的に制限するため、基端側への液漏れを効果的に防止できる。
【００１１】
前記注液部よりも基端側を封止するシール部材を有し、前記液漏れ防止部は、少なくとも前記シール部材よりも先端側に設けられるとともに、前記駆動シャフトに連動して回転することによって、軸方向先端側への速度成分を有する前記液体の流れを生じさせるようにすれば、液漏れ防止部によって、基端側に向かう液がシール部材の手前で先端側に押し返され、シール部材に過剰な圧がかかり難いため、シール部材が確実に液漏れを防止できる。
【００１２】
前記液漏れ防止部は、外周に螺旋状の羽根または溝が形成された軸部材と、前記羽根または溝が形成された部分で前記軸部材を回転自在に支持する軸受と、を備えるようにすれば、軸部材と軸受とが協働し軸流ポンプとして機能するため、先端側に向かって強い流れが生じ、基端側に向かう液を先端側に効果的に押し返すことができる。
【００１３】
前記注液部よりも基端側を封止するシール部材を有し、前記液漏れ防止部は、少なくとも前記シール部材よりも基端側に設けられるとともに、前記駆動シャフトに連動して回転することによって、回転中心側から外側へ案内された前記液体の飛散を生じさせるようにすれば、シール部材の後方で液漏れ防止部が液を飛散させて排除するため、万一、液がシール部材から漏出したとしても、基端側への液漏れを効果的に防止できる。
【００１４】
前記液漏れ防止部は、回転中心側から外側へ伸びる羽根または溝が形成されたフランジを備えるようにすれば、羽根または溝によって、液がフランジの回転中心側から外側へ円滑に案内されるので、効率よく液を飛散させることができる。
【００１５】
前記液漏れ防止部は、軸方向先端側から基端側に向かって拡径するテーパ形状を有するフランジを備えるようにすれば、液漏れ防止部の表面積が大きく、液漏れ防止部と液とが接し易いので、効率よく液を飛散させることができる。
【図面の簡単な説明】
【００１６】
【図１】第１実施形態の画像診断用カテーテルの概略構成を示す図である。
【図２】第１実施形態の画像診断用カテーテルの概略構成を示す図である。
【図３】第１実施形態の画像診断用カテーテルの先端部を拡大して示す断面図である。
【図４】第１実施形態の画像診断用カテーテルの基端に設けられたハブ部の内部を拡大して示す断面図である。
【図５】プライミングの際の第１実施形態の画像診断用カテーテルおよびその周辺の機器を模式的に示す図である。
【図６】プライミング後の第１実施形態の画像診断用カテーテルおよびその周辺の機器を模式的に示す図である。
【図７】診断の際の第１実施形態の画像診断用カテーテルおよびその周辺の機器を模式的に示す図である。
【図８】第１実施形態の液漏れ防止部の動作を模式的に示す図である。
【図９】第２実施形態の画像診断用カテーテルの基端に設けられたハブ部の内部を拡大して示す断面図である。
【図１０】図９のＸ−Ｘ線に沿う断面図である。
【図１１】変形例の画像診断用カテーテルの基端に設けられたハブ部の内部を拡大して示す断面図である。
【図１２】他の変形例の画像診断用カテーテルの基端に設けられたハブ部の内部を拡大して示す断面図である。
【発明を実施するための形態】
【００１７】
以下、図面を参照して本発明の実施形態を説明する。なお、図面の寸法比率は、説明の都合上、誇張されて実際の比率とは異なる。
【００１８】
＜第１実施形態＞
図１に示すように、第１実施形態の画像診断用カテーテル１００は、先端部に検査波送受信部１０１が設けられた駆動シャフト１０２と、駆動シャフト１０２が収められたシース１０３と、駆動シャフト１０２の基端側に設けられたハブ部１１０と、を有する。
【００１９】
シース１０３は、血管、胆管、尿道管、または消化管等の体腔に挿入される。シース１０３は、可撓性を有する。シース１０３の構成材料として、例えば、ポリ塩化ビニル、ポリエチレン、ポリプロピレン、エチレン−プロピレン共重合体、エチレン−酢酸ビニル共重合体等のポリオレフィン、ポリエチレンテレフタレート、ポリブチレンテレフタレート等のポリエステル、ポリスチレン、ポリウレタン、ポリアミド、ポリイミド、ポリオキシメチレン、ポリビニルアルコール、ポリテトラフルオロエチレン、ポリフッ化ビニリデン、その他フッ素系樹脂等の各種樹脂、ポリアミドエラストマー、ポリエステルエラストマー等の熱可塑性エラストマー、シリコーンゴム、ラテックスゴム等の各種ゴムが挙げられる。シース１０３の内面もしくは外面に補強層が設けられてもよい。この補強層の構成材料としては、ステンレス、Ｎｉ−Ｔｉ、または合成樹脂と金属との複合材料等が挙げられる。
【００２０】
図２に示すように、駆動シャフト１０２は、シース１０３、シース１０３の基端に接続した外管１２０、および外管１２０に接続した内管１２１を通り、ハブ部１１０の内部に伸びる。
【００２１】
ハブ部１１０、内管１２１、駆動シャフト１０２、検査波送受信部１０１は、一体的に軸方向に進退動する。使用者がハブ部１１０を先端側に押すと、内管１２１は外管１２０内に押し込まれ、駆動シャフト１０２および検査波送受信部１０１は、シース１０３の内部を先端側に移動する。使用者がハブ部１１０を引くと、内管１２１は外管１２０から引き出され、駆動シャフト１０２および検査波送受信部１０１は、シース１０３の内部を基端側に移動する。ハブ部１１０が最も基端側に引かれたとき、内管１２１の先端は、外管１２０の基端に設けられたコネクタ１２２に引っ掛る。このため内管１２１は外管１２０から抜けない。
【００２２】
図３に示すように、駆動シャフト１０２は、可撓性を有する管体１０２ａと、管体１０２ａの内部に通された信号線１０２ｂと、を有する。管体１０２ａは、例えば軸まわりの巻き方向が異なる多層のコイルによって構成される。コイルの構成材料として、例えばステンレス、Ｎｉ−Ｔｉが挙げられる。駆動シャフト１０２および検査波送受信部１０１は、シース１０３の内部に回転自在に収められている。
【００２３】
検査波送受信部１０１は、超音波を送受信する超音波振動子１０１ａと、超音波振動子１０１ａが収められるハウジング１０１ｂと、を有する。超音波振動子１０１ａは、信号線１０２ｂと電気的に接続している。本実施形態において、信号線１０２ｂはツイストペアケーブルや同軸ケーブルである。超音波振動子１０１ａは、検査波としての超音波を体腔内に送信する。また、超音波振動子１０１ａは、体腔から反射してきた超音波を受信する。
【００２４】
シース１０３内の空気による超音波の減衰を減らし、超音波を効率良く送受信するため、プライミング液（液体）がシース１０３内に充填される。これにともない、シース１０３内の空気は、シース１０３の先端に形成された孔１０３ａから排出される。本実施形態において、プライミング液は生理食塩水である。
【００２５】
シース１０３の先端部には、ガイドワイヤＷが挿通される管状の部材１０４がシース１０３に沿うように一体的に形成されている。Ｘ線造影性を有するマーカ１０５が、管状の部材１０４に取り付けられている。
【００２６】
図４に示すように、ハブ部１１０は、中空形状を有するハブ部本体１１１と、ハブ部本体１１１の内部に連通するポート１１２（注液部）と、ポート１１２よりも基端側を封止するシール部材１１３と、を有する。シール部材１１３は、例えばＯリング、Ｘリング、Ｖリング等である。ハブ部１１０は、シール部材１１３よりも先端側に設けられた液漏れ防止部１１４と、ハブ部本体１１１の基端側に回転自在に設けられたコネクタ１１５と、を有する。ハブ部本体１１１のシール部材１１３よりも基端側には、外部に連通する孔１１６が形成されている。
【００２７】
ハブ部本体１１１の先端部には、内管１２１が接続している。ハブ部本体１１１、ポート１１２、および内管１２１は互いに連通する。ハブ部本体１１１の内部には、駆動シャフト１０２が内管１２１から引き出されている。
【００２８】
液漏れ防止部１１４は、駆動シャフト１０２の軸方向において、ポート１１２よりも基端側に設けられている。液漏れ防止部１１４は、外周に螺旋状の羽根１１４ａが形成された軸部材１１４ｂと、羽根１１４ａが形成された部分で軸部材１１４ｂを回転自在に支持する軸受１１４ｃと、を有する。
【００２９】
軸部材１１４ｂの先端は駆動シャフト１０２に接続している。軸部材１１４ｂの基端はコネクタ１１５に接続している。軸部材１１４ｂおよび駆動シャフト１０２は、コネクタ１１５の回転に連動して回転する。軸部材１１４ｂのまわりにシール部材１１３は配置されている。
【００３０】
軸部材１１４ｂは管形状を有する。駆動シャフト１０２の内部の信号線１０２ｂ（図３参照）は、軸部材１１４ｂの内部を通りコネクタ１１５と電気的に接続する。
【００３１】
軸受１１４ｃは、ハブ部本体１１１に固定されている。軸受１１４ｃとハブ部本体１１１とは、液密に固定されている。
【００３２】
次に画像診断用カテーテル１００の使用例について述べる。
【００３３】
図５に示すように、画像診断用カテーテル１００は、ハブ部１１０に接続するモータ駆動装置１０とともに用いられる。
【００３４】
モータ駆動装置１０は、ハブ部１１０の内部のコネクタ１１５と電気的に接続する。モータ駆動装置１０は、駆動シャフト１０２を回転させるための動力源であるモータ１０ａと、駆動シャフト１０２を軸方向に移動させるための動力源であるモータ１０ｂと、を有する。モータ１０ｂの回転運動は、モータ１０ｂに接続したボールネジ１０ｃによって軸方向の運動に変換される。
【００３５】
モータ駆動装置１０の動作は、これに電気的に接続した制御装置２０によって制御される。制御装置２０は、ＣＰＵ（Ｃｅｎｔｒａｌ  Ｐｒｏｃｅｓｓｉｎｇ  Ｕｎｉｔ）およびメモリを主たる構成として含む。制御装置２０は、モニタ３０に電気的に接続している。
【００３６】
使用者は、まず、モータ駆動装置１０にハブ部１１０を接続する。その後、使用者は、プライミング液が入ったシリンジＳをポート１１２に接続し、シリンジＳの押し子を押してプライミング液をシース１０３に充填する。このプライミング作業の前、使用者は、ハブ部１１０を最も基端側まで引き、内管１２１を引き出した状態にしておく。ハブ部１１０、内管１２１、および外管１２０は、シース１０３に連通している。
【００３７】
図６に示すように、プライミング後、使用者は、ハブ部１１０をコネクタ１２２の基端に当接するまで押し込み、検査波送受信部１０１を先端側に移動させる。この状態で、シース１０３は、ガイドワイヤＷに沿って体腔内の目的の位置に挿入される。
【００３８】
図７に示すように、体腔内の目的の位置で断層画像を得る際、検査波送受信部１０１は、駆動シャフト１０２とともに基端側へと移動しながら超音波を送受信する。また、このとき、検査波送受信部１０１は、駆動シャフト１０２とともに回転する。
【００３９】
制御装置２０は、モータ１０ａを制御し、駆動シャフト１０２の軸まわりの回転を制御する。制御装置２０は、モータ１０ｂを制御し、駆動シャフト１０２の軸方向の移動を制御する。
【００４０】
制御装置２０から送られる信号に基づき検査波送受信部１０１は体内に超音波を送信する。検査波送受信部１０１が受信した反射波に対応する信号は、駆動シャフト１０２およびモータ駆動装置１０を介して制御装置２０に送られる。制御装置２０は、検査波送受信部１０１から送られてくる信号に基づき体腔の断層画像を生成し、生成した画像をモニタ３０に表示する。
【００４１】
図８に示すように、コネクタ１１５がモータ駆動装置１０によって回転され、これに連動して、軸部材１１４ｂおよび駆動シャフト１０２が回転する。コネクタ１１５、軸部材１１４ｂ、および駆動シャフト１０２の回転速度は、例えば１８００ｒｐｍである。
【００４２】
ハブ部本体１１１の内部では、プライミングによってシール部材１１３よりも先端側にプライミング液が充填されているので、軸部材１１４ｂが羽根１１４ａとともに回転すると、軸方向先端側へのプライミング液の流れが生じる。
【００４３】
本実施形態の作用効果を述べる。
【００４４】
本実施形態では、液漏れ防止部１１４が、駆動シャフト１０２の回転に連動して動作し、先端側へのプライミング液の流れを生じさせることによって、プライミング液の移動を基端側に向かわないように強制的に制限する。従って、基端側への液漏れを効果的に防止できる。
【００４５】
液漏れ防止部１１４がシール部材１１３よりも先端側に設けられており、基端側に向かうプライミング液をシール部材１１３の手前で先端側に押し返すため、シール部材１１３に過剰な圧がかかり難い。従って、シール部材１１３が確実に液漏れを防止できる。
【００４６】
ハブ部本体１１１には孔１１６が形成されているため、仮にシール部材１１３からプライミング液が漏出してもハブ部本体１１１の外部に排出される。従って、コネクタ１１５に接続するモータ駆動装置１０への液漏れが防止され、その結果、モータ駆動装置１０が良好に動作する。
【００４７】
軸部材１１４ｂと軸受１１４ｃとが協働し軸流ポンプとして機能するため、先端側に向かって強い流れが生じ、基端側に移動しようとするプライミング液を効果的に先端側に押し返すことができる。
【００４８】
＜第２実施形態＞
図９に示すように、第２実施形態の画像診断用カテーテル２００は、第１実施形態と異なる構成を有する液漏れ防止部２１４を備える。また、画像診断用カテーテル２００は、第１実施形態と異なる構成を有する軸部材２１７および軸受２１８を有する。これら以外の構成および使用方法については、第１実施形態と同様であるため、ここでの重複する説明を省略する。第１実施形態と同様の構成については、図９において第１実施形態と同様の符号を付す。
【００４９】
軸部材２１７は、第１実施形態のように羽根１１４ａを備えず、外周面に凹凸のない管形状を有する。軸部材２１７は、コネクタ１１５および駆動シャフト１０２に連動して回転する。軸受２１８の内周面は、軸部材２１７の外周面に摺接する。
【００５０】
液漏れ防止部２１４は、シール部材１１３よりも基端側に設けられる。液漏れ防止部２１４は、万一、プライミング液が軸部材２１７を伝ってシール部材１１３から漏出した場合に、軸部材２１７が設けられた回転中心側から外側にプライミング液を飛散させて排除する。液漏れ防止部２１４は、軸部材２１７に接続したフランジ２１４ａと、フランジ２１４ａに形成された羽根２１４ｂと、を有する。
【００５１】
図１０に示すように、フランジ２１４ａは、軸部材２１７のまわりに形成された円盤形状を有する。軸部材２１７の中を、駆動シャフト１０２から伸びる信号線１０２ｂが通る。羽根２１４ｂは、軸部材２１７が設けられた回転中心側から外側に向かって形成されている。
【００５２】
フランジ２１４ａは、軸部材２１７の回転に連動して回転する。フランジ２１４ａが回転すると、軸部材２１７を伝ってきたプライミング液は、羽根２１４ｂによって案内されつつ、フランジ２１４ａを回転中心側から外側に向かって遠心力によって飛散する。飛散したプライミング液は、ハブ部本体１１１の内周面１１１ａに当り、内周面１１１ａを伝って孔１１６から排出される。
【００５３】
本実施形態の作用効果を述べる。
【００５４】
本実施形態の画像診断用カテーテル２００においては、液漏れ防止部２１４が、シール部材１１３の後方でプライミング液を飛散させて排除するため、万一、プライミング液がシール部材１１３から漏出したとしても、基端側への液漏れを効果的に防止できる。
【００５５】
液漏れ防止部２１４は、羽根２１４ｂによって、プライミング液をフランジ２１４ａの回転中心側から外側へ円滑に案内するので、効率よくプライミング液を飛散させることができる。
【００５６】
孔１１６によって、飛散させたプライミング液がハブ部本体１１１の外部に排出されるので、モータ駆動装置１０への液漏れが防止され、その結果、モータ駆動装置１０が良好に動作する。
【００５７】
本発明は、上述した実施形態に限定されるものではなく、特許請求の範囲内で種々改変できる。
【００５８】
例えば、図１１に示すように、本発明は、第１実施形態の液漏れ防止部１１４と第２実施形態の液漏れ防止部２１４とを組み合わせた画像診断用カテーテル３００を含む。この形態によれば、第１実施形態および第２実施形態の両方の効果を得ることができる。図１１では第１実施形態および第２実施形態と同様の構成に対し、第１実施形態および第２実施形態と同様の符号を付している。
【００５９】
軸部材は、第１実施形態のように螺旋状の羽根が外周に形成されたものに限定されず、羽根に代えて螺旋状の溝を形成し、この軸部材を軸受の内周面に摺接するようにして支持してもよい。また、螺旋状の羽根は、軸部材において、軸受によって支持される部分だけでなく、さらに軸受から先端側に伸びた部分にも形成されていてもよい。
【００６０】
図１２に示すように、本発明は、軸方向先端側から基端側に向かって拡径するテーパ形状を有するフランジ４１４を、液漏れ防止部として第２実施形態に適用した画像診断用カテーテル４００を含む。この構成によれば、液漏れ防止部の表面積が大きく、液漏れ防止部と液とが接し易いので、効率よくプライミング液を飛散させることができる。また、フランジ４１４に、回転中心側から外側へ伸びる羽根または溝が形成されてもよい。図１２では第２実施形態と同様の構成に対し、第２実施形態と同様の符号を付している。
【００６１】
画像診断用カテーテルは、血管内超音波（Ｉｎｔｒａ  Ｖａｓｃｕｌａｒ  Ｕｌｔｒａ  Ｓｏｕｎｄ：ＩＶＵＳ）によって画像を得るカテーテルに限定されず、光干渉断層画像技術（Ｏｐｔｉｃａｌ  Ｃｏｈｅｒｅｎｔ  Ｔｏｍｏｇｒａｐｈｙ：ＯＣＴ）によって画像を得るカテーテルであってもよい。
【００６２】
ＯＣＴの場合、検査波送受信部は、検査波として近赤外光を送受信する。例えば第１実施形態の画像診断用カテーテル１００において、近赤外光を伝送する光ファイバが信号線１０２ｂとして用いられ、超音波振動子１０１ａの代わりにレンズまたはミラーが備えられる。この構成において、光ファイバの基端はコネクタ１１５に光学的に接続し、また、コネクタ１１５は、モータ駆動装置（ＭＤＵ）と光学的に接続する。近赤外光は、光ファイバによって先端側に送られ、超音波振動子１０１ａの代わりに備えられたレンズまたはミラーから体内へと送信される。また、体内からの反射光は、このレンズまたはミラーによって受信され、光ファイバによって基端側へと送られる。ＯＣＴの場合、屈折率の差による反射を減らして効率良く近赤外光を送受信するために、プライミング液として例えば造影剤が用いられる。
【００６３】
液漏れ防止部によって基端側への漏出を防止される液は、上記実施形態のように生理食塩水や造影剤等のプライミング液に限定されず、カテーテル内に浸入した血液等の体液も含む。
【符号の説明】
【００６４】
１０    モータ駆動装置、
２０    制御装置、
３０    モニタ、
１００、２００、３００、４００    画像診断用カテーテル、
１０１    検査波送受信部、
１０１ａ    超音波振動子、
１０１ｂ    ハウジング、
１０２    駆動シャフト、
１０２ａ    管体、
１０２ｂ    信号線、
１０３    シース、
１０３ａ    孔、
１１０、２１０、３１０、４１０    ハブ部、
１１１    ハブ部本体、
１１２    ポート（注液部）、
１１３    シール部材、
１１４    液漏れ防止部、
１１４ａ    羽根、
１１４ｂ    軸部材、
１１４ｃ    軸受、
１１５    コネクタ、
１１６    孔、
２１４    液漏れ防止部、
２１４ａ    フランジ、
２１４ｂ    羽根、
２１７    軸部材、
２１８    軸受、
４１４    テーパ形状を有するフランジ（液漏れ防止部）、
Ｗ    ガイドワイヤ、
Ｓ    シリンジ。
【図１】
2015066036.tif 000003
【図２】
2015066036.tif 000004
【図３】
2015066036.tif 000005
【図４】
2015066036.tif 000006
【図５】
2015066036.tif 000007
【図６】
2015066036.tif 000008
【図７】
2015066036.tif 000009
【図８】
2015066036.tif 000010
【図９】
2015066036.tif 000011
【図１０】
2015066036.tif 000012
【図１１】
2015066036.tif 000013
【図１２】
2015066036.tif 000014